(57)【要約】  【課題】インターフェース部に接続したパーソナルコンピュータ（ＰＣ）等の外部機器から簡単なプログラムにより通信データ等のデータの編集を行うことができる通信装置を提供する。  【解決手段】ＰＣから通信データの編集の実行を指示すると、編集情報要求信号をデジタル複合機に送信し（ステップ１０１）、デジタル複合機から各種通信データの項目名及びＩＤが送信される（ステップ２０１）。そして、ユーザが編集したいデータ項目のＩＤを入力すると、そのＩＤがデジタル複合機に送信され（ステップ１０５）、デジタル複合機からそのＩＤの編集データが送信される（ステップ２０３）。この後、ユーザがデータの追加、修正を行った後、編集を終了すると、編集済データがデジタル複合機に送信され（ステップ１０９）、この編集済データがデジタル複合機のメモリに記憶される（ステップ２０４）。  【選択図】図５
2005123844.tif 000002
【特許請求の範囲】
【請求項１】
外部機器との接続を確立するインターフェース部と、通信回線に接続される通信部と、通信データ等のデータ及び各種データのＩＤを記憶するデータ記憶部と、上記各部を制御する制御部とを備え、上記インターフェース部に接続される外部機器から通信データの編集要求があった場合、上記制御部が上記データ記憶部からデータのＩＤを読み出して外部機器に送信することを特徴とする通信装置。
【請求項２】
請求項１に記載された通信装置において、上記インターフェース部に接続される外部機器から編集データＩＤの送信があったとき、上記制御部が送信された編集データＩＤに該当するデータを上記データ記憶部から読み出して外部機器に送信することを特徴とする通信装置。
【請求項３】
請求項２に記載された通信装置において、上記インターフェース部に接続される外部機器から編集データの送信があったとき、上記制御部が送信された編集データを上記データ記憶部に記憶することを特徴とする通信装置。
【発明の詳細な説明】
【技術分野】
【０００１】
本発明は、通信装置に関し、特にＵＳＢデバイスコントローラ等のインターフェース部によりパーソナルコンピュータ等の外部機器と接続でき、この外部機器との間でデータの送受信が可能な通信装置に関する。
【背景技術】
【０００２】
電子機器のインターフェースとしてＵＳＢが知られており、このＵＳＢはパーソナルコンピュータと周辺機器間の通信インターフェースとして広く普及している。このＵＳＢをサポートする一般のパーソナルコンピュータ用オペレーティングシステム（ＯＳ）は、ＵＳＢホストとしてのＵＳＢコントローラを標準装備し、ＵＳＢをサポートする周辺機器はＵＳＢデバイスとしてのＵＳＢコントローラを装備している。
最近の複写機能、ファクシミリ機能、プリント機能、スキャナ機能等を有するデジタル複合機やファクシミリ装置等の通信装置もこのようなＵＳＢをサポートするようになってきており、このＵＳＢでパーソナルコンピュータと接続することによりデータ交換を容易に行うことができる。
【０００３】
一方、上記のような通信装置は、ワンタッチダイヤルや短縮ダイヤル等により記憶している送信先電話番号等の通信データをバッテリバックアップされたＳＲＡＭあるいはＥＥＰＲＯＭなどの通信装置に内蔵された不揮発性メモリに記憶している。
【０００４】
このような、ワンタッチダイヤルや短縮ダイヤル等の通信データは通信装置に設けられた表示・操作パネルから登録操作を行うが、通信装置の表示・操作パネルには、テンキーや通信に必要な限られたキーしか存在せず、限られた数のキーで、例えば、相手先名称等のカタカナ、平仮名、漢字、アルファベット文字、数字等を入力するためには、数多くのキーを操作して登録処理を行わなければならず、操作性が悪い。
また、上記通信装置の表示・操作パネルの表示部は小さく、一度に表示できる文字数も限られるので、設定内容の確認や追加・変更・削除にも困難が伴った。
【０００５】
このため、通信装置をパーソナルコンピュータ等の他のデータ処理装置にＩ／Ｏポートを介して接続し、このデータ処理装置で作成したワンタッチダイヤルや短縮ダイヤル等のデータを通信装置に転送することにより通信データの設定を行うことが知られている（例えば、特許文献１参照）。
【特許文献１】特開平８−２６５５３６号公報
【発明の開示】
【発明が解決しようとする課題】
【０００６】
上記のように、従来の通信装置では、パーソナルコンピュータからワンタッチダイヤルや短縮ダイヤル等のデータの設定を行うことが可能であるが、単に通信データの設定を行うだけでなく、通信装置に登録されているデータの編集をパーソナルコンピュータで行いたい場合もある。このように、通信装置とパーソナルコンピュータとの間で様々な通信データを転送してデータの編集を行うためには、編集専用のアプリケーションソフトが必要であり、編集するデータの種類が多くなればなるほど、そのアプリケーションソフトが複雑になるという問題があった。
【０００７】
本発明は、上記の問題に鑑みてなされたもので、インターフェース部に接続したパーソナルコンピュータ等の外部機器から簡単なプログラムにより通信データ等のデータの編集を行うことができる通信装置を提供することを目的とする。
【課題を解決するための手段】
【０００８】
上述の目的を達成するため、請求項１に係る発明の通信装置は、外部機器との接続を確立するインターフェース部と、通信回線に接続される通信部と、通信データ等のデータ及び各種データのＩＤを記憶するデータ記憶部と、上記各部を制御する制御部とを備え、上記インターフェース部に接続される外部機器から通信データの編集要求があった場合、上記制御部が上記データ記憶部からデータのＩＤを読み出して外部機器に送信することを特徴とする。
【０００９】
また、請求項２に係る発明は、請求項１に記載された通信装置において、上記インターフェース部に接続される外部機器から編集データＩＤの送信があったとき、上記制御部が送信された編集データＩＤに該当するデータを上記データ記憶部から読み出して外部機器に送信することを特徴とする。
【００１０】
さらに、請求項３に係る発明は、請求項２に記載された通信装置において、上記インターフェース部に接続される外部機器から編集データの送信があったとき、上記制御部が送信された編集データを上記データ記憶部に記憶することを特徴とする。
【発明の効果】
【００１１】
請求項１に係る発明の通信装置によれば、データ記憶部に各種データのＩＤが記憶され、インターフェース部、例えばＵＳＢデバイスコントローラ、に接続される外部機器から通信データの編集要求があった場合、この各種データのＩＤが外部機器に送信されるので、このＩＤを利用することにより編集する通信データを容易に選択することができる。
【００１２】
また、請求項２、請求項３に係る発明の通信装置によれば、外部機器から編集データＩＤを送信することにより、通信装置からその編集データＩＤに該当するデータが外部機器に送信されるので、特に複雑なプログラムを必要とせず、編集したいデータを簡単に通信装置から読み出すことができ、また、外部機器から編集データを通信装置に送信することにより、編集データを通信装置のデータ記憶部に記憶することができるので、通信データの編集を簡単に行うことができる。
【実施例】
【００１３】
以下、本発明の通信装置を一例として、コピーモード、プリンタモード、ファックスモード等を有するデジタル複合機に適用した場合の実施例について、図面を用いて説明する。図１はデジタル複合機の制御系の構成を示す概略ブロック図であり、図に示すように、デジタル複合機１はＣＰＵ２、ＲＯＭ（Read Only Memory）３、ＲＡＭ（Random Access Memory）４、ＳＲＡＭ５、表示・操作部６、読取部７、画像メモリ８、記録部９、コーデック１０、モデム１１、ネットワーク制御ユニットＮＣＵ１２、ＵＳＢデバイスコントローラ１３から構成され、各部がバス１４を介して接続されている。
【００１４】
ＣＰＵ２はバス１４を介してデジタル複合機のハードウェア各部を制御するとともに、ＲＯＭ３に記憶されたプログラムに基づいて各種のプログラムを実行する。ＲＡＭ４はプログラムの実行時に発生する一時的なデータを記憶し、ＳＲＡＭ５は不揮発性メモリであり、発信元名、発信元番号、装置稼動条件パラメータなどのシステムデータよりなる装置情報データや相手先毎に登録したダイヤル番号と名称、相手機種の能力情報などを記憶する短縮ダイヤル、ワンタッチダイヤル情報、送受信した通信管理記録情報等の通信データを記憶するとともに、図２に示すような、各種の通信データのＩＤコード（識別コード）を記憶する記憶テーブルの記憶領域も備えている。なお、この記憶テーブルには、各項目の先頭アドレス、データサイズも記憶されている。
【００１５】
表示・操作部６は、デジタル複合機の動作状態を表示したり、種々の機能の操作画面の表示を行う表示部と、デジタル複合機を操作するための複数のキーよりなり、図３に示すように、表示部を構成するＬＣＤ表示部４１と多数の操作キーから構成されている。ＬＣＤ表示部４１には、タッチパネルスイッチが配設され、ＬＣＤ表示部４１に表示された項目部分を押下することで、対応する項目の選択や機能の実行を行うことができる。また、操作キーとして、テンキー５１、スタートキー５２、リセットキー５３、ストップキー５４、複数のワンタッチダイヤルキー５５、十字キー５６、リターンキー５７、セットキー５８、ＦＡＸ切替キー５９、コピー切替キー６０、スキャナ切替キー６１等の各種キーが設けられている。なお、ＬＣＤ表示部４１によりこれらの操作キーの一部又は全部を代用することも可能である。
【００１６】
読取部７はＣＣＤ等を利用したスキャナで原稿を読み取り、白黒２値に変換したドットイメージデータを出力するものであり、また、画像メモリ
８は、ＤＲＡＭ（Dynamic Random Access Memory）等を用いて構成され、送信すべきイメージデータまたは受信したイメージデータを記憶する。記録部９は電子写真方式等のプリンタ装置を備え、受信したデータをハードコピーとしてプリントアウトし、コーデック１０は送信する画像情報を一定の符号化法によりデータ圧縮する一方、受信した画像データを復号して元の情報に復元するものである。
【００１７】
また、モデム１１はバス１４に接続されており、ファクシミリ通信が可能なファックスモデムとしての機能を有し、このモデム１１は同様にバス１４に接続されたＮＣＵ１２と接続されている。ＮＣＵ１２はアナログ回線の閉結及び開放の動作を行うハードウェアであり、必要に応じてモデム１１を電話回線に接続する。
ＵＳＢデバイスコントローラ１３はデジタル複合機１のＵＳＢ端子に接続された外部機器との通信を行い、外部機器から信号やデータを受信する一方、外部機器に対して信号やデータを送信するものであり、信号変換やプロトコル変換などのインターフェース処理を実行する。
【００１８】
デジタル複合機１は上記のような構成を備えており、ファクシミリ送信時には、送信原稿を読取部７にセットした後、ワンタッチダイヤルキー５５のいずれか、あるいはＬＣＤ表示部４１に表示される短縮ダイヤル番号のいずれかを押下して送信宛先を指定した後、スタートキー５２を押下することにより、送信原稿の画像データが読取部７で読み取られ、その画像データがコーデック１０で圧縮されて画像メモリ８に蓄積される。この圧縮された画像データが画像メモリ８から読み出されてモデム１１で変調され、ＮＣＵ１２から公衆電話回線を通して通信相手先に送信される。また、ファクシミリ受信時には、受信した画像データがモデム１１で復調され、画像メモリ８に蓄積された後、コーデック１０で復号されて記録部９により印刷される。
【００１９】
一方、このデジタル複合機１にＵＳＢケーブル３０により接続されるパーソナルコンピュータ（以下、ＰＣという）２０は、図４に示すように、ＣＰＵ２１、ＲＯＭ２２、ＲＡＭ２３、表示部２４、入力部２５、ハードディスクドライブ（ＨＤＤ）２６、ＵＳＢホストコントローラ２７から構成され、バス２８を介して接続されている。
ＣＰＵ２１は、バス２８を介してＰＣ２０のハードウェア各部を制御するとともに、ＲＯＭ２２に記憶されたソフトウェアプログラムに基づいて各種のプログラムを実行し、ＲＡＭ２３はＳＲＡＭ等で構成され、プログラムの実行時に発生する一時的なデータを記憶する。
【００２０】
表示部２４は、液晶表示装置（ＬＣＤ）又はＣＲＴディスプレイ等の表示装置であり、入力部２５はＰＣ２０を操作するためのキーボードである。ＨＤＤ２６は記憶媒体を内蔵する記憶装置であり、各種の機能のプログラムを格納するとともに、様々なデータを記憶している。また、ＵＳＢホストコントローラ２７はＰＣ２０のＵＳＢ端子に接続され、上記ＵＳＢデバイスコントローラ１３と同様な働きを行う。
【００２１】
次に、デジタル複合機１のＵＳＢ端子にＰＣ２０をＵＳＢケーブル３０により接続し、通信データの編集を行う場合の作用について、図５のフローチャートにより説明する。
ユーザがＰＣ２０の入力部２５からデジタル複合機１の通信データの編集の実行を指示すると、図５のフローチャートに示すように、ＰＣ２０のＣＰＵ２１は編集情報要求信号をデジタル複合機１に送信する（ステップ１０１）。デジタル複合機１はＰＣ２０から編集情報要求信号を受信すると、図５のフローチャートに示すデータ編集処理プログラムを開始し、まず、ＳＲＡＭ５の図２に示す記憶テーブルから各種通信データの項目名及びそのＩＤを編集情報として読み出し、ＰＣ２０に送信する（ステップ２０１）。
【００２２】
一方、ＰＣ２０のＣＰＵ２１は編集情報要求信号をデジタル複合機１に送信した後、デジタル複合機１から編集情報を受信したか否かを判別しており（ステップ１０２）、デジタル複合機１から編集情報を受信すると、受信した編集情報をＨＤＤ２６に記憶するとともに、表示部２４に図６に示す項目選択画面を表示する（ステップ１０３）。この項目選択画面には、図に示すように、各項目名とそのＩＤ番号及び「編集する項目ＩＤを入力してください。」とのメッセージが表示されるとともに、画面の下部にはプログラムを終了する「終了」アイコンが表示される。
【００２３】
この後、ＣＰＵ２１は入力部２５からＩＤ番号が入力されたか否かを判別する（ステップ１０４）。そして、ユーザが入力部２５によりいずれかのＩＤ番号、例えばワンタッチダイヤルのＩＤ「１」を選択して入力すると、ＣＰＵ２１は選択されたＩＤ「１」をデジタル複合機１に送信する（ステップ１０５）。一方、ステップ１０４でＩＤが入力されていないと判別された場合には、ＣＰＵ２１はステップ１０６に移る。
【００２４】
一方、デジタル複合機１のＣＰＵ２は編集情報をＰＣ２０に送信した後、ＰＣ２０から編集ＩＤを受信したか否かを判別し（ステップ２０２）、ＰＣ２０から編集ＩＤを受信すると、受信した編集ＩＤに該当する項目のデータ、この場合ワンタッチダイヤルのデータ、をＳＲＡＭ５から読み出して、編集データとしてＰＣ２０に送信する（ステップ２０３）。
編集データがＰＣ２０に送信されると、ＣＰＵ２１がデジタル複合機１からの編集データの受信の有無を判別した（ステップ１０６）時点で、ＣＰＵ２１は送信されたワンタッチダイヤルのデータをＨＤＤ２６に記憶するとともに、表示部２４に図７に示すデータ編集画面を表示する（ステップ１０７）。このデータ編集画面には、図に示すように、各ワンタッチダイヤルの番号、相手先名称、電話番号、相手装置の通信能力等が表示されており、この画面のいずれかの項目をクリックすることによりそれぞれを修正したり追加したりすることが可能である。また、この画面の下部には、「編集終了」、「終了」を指示するアイコンも表示されている。
【００２５】
次に、ＣＰＵ２１はデータの編集が終了したか否かを判別し（ステップ１０８）、上記のデータ編集画面でユーザがワンタッチダイヤルデータの修正、追加等を行った後、「編集終了」アイコンをクリックすると、ＣＰＵ２１は編集済データをＨＤＤ２６に記憶するとともに、その編集済みデータをデジタル複合機１に送信する（ステップ１０９）。次に、ＣＰＵ２１は表示部２４に図６のＩＤ選択画面を再び表示した（ステップ１１０）後、プログラムの終了判別ステップ１１１に移る。
【００２６】
一方、デジタル複合機１のＣＰＵ２はＰＣ２０から修正済データを受信すると、編集済データ受信の有無判別ステップ２０４でこれを判別し、受信したワンタッチダイヤルの修正済データをＳＲＡＭ５に記憶する。この後、ＣＰＵ２はＰＣ２０から終了信号を受けたか否かを判別する（ステップ２０６）。そして、終了信号を受けていないと判別した場合には、再びステップ２０２に戻り、編集ＩＤを受信したか否かを判別し、受信していない場合は、ステップ２０４に移って編集済データを受信したか否かを判別し、編集済データを受信していない場合には、終了信号を受信したか否かを判別し、いずれかの信号を受信するまでこのループを繰り返す。
【００２７】
一方、ＰＣ２０のＣＰＵ２１は入力部２５からの入力がない場合には、上記と同様に、ステップ１０４、１０６、１０８、１１１、１０４・・・のループを繰り返しており、ユーザが図６のＩＤ選択画面または図７のデータ編集画面で「終了」アイコンをクリックすると、ＣＰＵ２１はデジタル複合機１にデータ編集の終了信号を送信した（ステップ１１２）後、プログラムを終了する。
そして、この終了信号をデジタル複合機１のＣＰＵ２が受信すると、ＣＰＵ２もデータ編集プログラムを終了する。
【００２８】
以上のように、デジタル複合機のＳＲＡＭに各種データの項目ＩＤが記憶され、パーソナルコンピュータから通信データの編集情報の要求があった場合、デジタル複合機がこの項目ＩＤをパーソナルコンピュータに送信し、このＩＤを利用することによりユーザが編集したい項目のデータの転送動作を容易に行うことができるので、パーソナルコンピュータ及びデジタル複合機に組み込むデータ編集プログラムを簡単にすることができる。
【００２９】
なお、上記の実施例では、インターフェース部としてＵＳＢデバイスコントローラを用いたが、様々なインターフェース部を本発明の通信装置に用いることができ、また、上記実施例では、本発明の通信装置を複写機能、ファクシミリ機能、プリント機能、スキャナ機能等を有するデジタル複合機に適用した例を説明したが、本発明の通信装置は、通常のファクシミリ装置にも適用することができる。
【図面の簡単な説明】
【００３０】
【図１】本発明の通信装置を実施したデジタル複合機の構成を示す概略ブロック図である。
【図２】ＳＲＡＭに記憶される各項目のＩＤ等を記憶する記憶テーブルの一例を示す図である。
【図３】表示・操作部の詳細を示す図である。
【図４】パーソナルコンピュータの構成を示すブロック図である。
【図５】通信データの編集を行う場合の作用を示すフローチャートである。
【図６】項目ＩＤ選択画面の表示の一例を示す図である。
【図７】データ修正画面の表示の一例を示す図である。
【符号の説明】
【００３１】
１  デジタル複合機
２、２１  ＣＰＵ
３、２２  ＲＯＭ
４、２３  ＲＡＭ
５  ＳＲＡＭ
６  表示・操作部
７  読取部
８  画像メモリ
９  記録部
１０  コーデック
１１  モデム
１２  ＮＣＵ
１３  ＵＳＢデバイスコントローラ
１４  バス
２０  パーソナルコンピュータ（ＰＣ）
２４  表示部
２５  入力部
２６  ＨＤＤ
２７  ＵＳＢホストコントローラ
３０  ＵＳＢケーブル
【図１】
2005123844.tif 000003
【図２】
2005123844.tif 000004
【図３】
2005123844.tif 000005
【図４】
2005123844.tif 000006
【図５】
2005123844.tif 000007
【図６】
2005123844.tif 000008
【図７】
2005123844.tif 000009